(57)【要約】  【課題】スキャナと卓上型プリンタを上下に重ね置きすれば、当然占有スペースが小さくなるが、下方に重ね置きされたプリンタ部は、給紙等の操作性とメンテナンス時の内部アクセス性を損なう傾向がある。【解決手段】スキャナ部をプリンタ部の上部に配置固定するに際し、両者を接合する手段として、前後に摺動する摺動機構を持ち、少なくとも前後２箇所に固定位置が設けられ、各位置は随意かつ容易に選択できる。後方位置においては、スキャナ部とプリンタ部がほぼ重箱状に重ね置きされることにより、装置全体が最小の占有スペースを実現するいっぽう、前方位置においては、プリンタ部の後部給紙口が開放され、プリンタ部の操作性を向上させることができる、スキャナプリンタ複合機。【選択図】図１
2006248062.tif 000002
【特許請求の範囲】
【請求項１】
略直方体の筐体及び前記筐体の上面に原稿が配される原稿台を有し、前記原稿台に配された前記原稿を光学的に読み取り、画像情報を生成するスキャナ部と、
前記スキャナ部よりも下方に配され、略直方体の筐体、前記筐体の上面後端付近に配された後部給紙口から前記筐体の内に被記録物を給紙する給紙部、前記給紙部により給紙された前記被記録物を前記筐体の前面から排紙する排紙部を有し、前記被記録物に記録を行うプリンタ部と
を備え、
前記スキャナ部の前記筐体は、前記プリンタ部の前記筐体に対して、前記スキャナ部の前記筐体が前記後部給紙口を覆う後方位置と、前記後部給紙口が開放される前方位置と、の間で摺動し、
前記スキャナ部の前記筐体が前記プリンタ部の前記筐体に対して前記後方位置にある場合に、前記スキャナ部の前記筐体と前記プリンタ部の前記筐体とが略直方体の形状を有するスキャナプリンタ複合機。
【請求項２】
前記プリンタ部は、前記筐体の前記前面に配された前面給紙口をさらに有する請求項１に記載のスキャナプリンタ複合機。
【請求項３】
前記スキャナ部は、前記原稿台の後端付近を軸として前記原稿台に対して開閉する原稿カバーをさらに有する請求項１に記載のスキャナプリンタ複合機。
【発明の詳細な説明】
【技術分野】
【０００１】
本発明は、スキャナプリンタ複合機に関する。特に本発明は、プリンタ部の上部にスキャナ部を搭載するスキャナプリンタ複合機に関する。
【背景技術】
【０００２】
近年写真のデジタル印刷の普及にともない、スキャナ部とプリンタ部とを一体化した複合機が知られている。この場合に、複合機全体の大きさを小型化すべく、スキャナ部とプリンタ部の両者を上下に重ね置きする複合機が知られている（例えば、特許文献１を参照）。
【特許文献１】特開２００４−２６０６１８号公報
【発明の開示】
【発明が解決しようとする課題】
【０００３】
しかしながら、上記複合機においては、プリンタ部の給紙部が背面側に突出している。よって、壁際に複合機を設置した場合に給紙部の左右に無駄なスペースができ、また、操作性が悪いという不具合がある。
【課題を解決するための手段】
【０００４】
上記課題を解決するために、本発明の第１の形態においては、スキャナプリンタ複合機であって、略直方体の筐体及び筐体の上面に原稿が配される原稿台を有し、原稿台に配された原稿を光学的に読み取り、画像情報を生成するスキャナ部と、スキャナ部よりも下方に配され、略直方体の筐体、筐体の上面後端付近に配された後部給紙口から筐体の内に被記録物を給紙する給紙部、給紙部により給紙された被記録物を筐体の前面から排紙する排紙部を有し、被記録物に記録を行うプリンタ部とを備え、スキャナ部の筐体は、プリンタ部の筐体に対して、スキャナ部の筐体が後部給紙口を覆う後方位置と、後部給紙口が開放される前方位置と、の間で摺動し、スキャナ部の筐体がプリンタ部の筐体に対して後方位置にある場合に、スキャナ部の筐体とプリンタ部の筐体とが略直方体の形状を有する。
【０００５】
これにより、プリンタ部の給紙部を使用しない場合に、装置全体の大きさを小さくすることができる。また、装置の後端面を壁面に近接して設置することができる。
【０００６】
上記スキャナプリンタ複合機において、プリンタ部は、筐体の前面に配された前面給紙口をさらに有してもよい。これにより、スキャナ部の筐体を摺動する機会を減らして、使いやすさを向上することができる。
【０００７】
上記スキャナプリンタ複合機において、スキャナ部は、原稿台の後端付近を軸として原稿台に対して開閉する原稿カバーをさらに有してもよい。これにより、原稿台が傷ついたり汚れたりすることを防ぐことができると共に、スキャナ部の筐体を摺動する場合に原稿カバーが不用意に開くことを防ぐことができる。
【０００８】
なお、上記の発明の概要は、本発明の必要な特徴の全てを列挙したものではなく、これらの特徴群のサブコンビネーションもまた、発明となりうる。
【発明を実施するための最良の形態】
【０００９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１０】
図１は、本発明の実施形態に係るスキャナプリンタ複合機１０を斜め前方から見た斜視図を示す。図２は図１のスキャナプリンタ複合機１０を斜め後方から見た斜視図を示す。スキャナプリンタ複合機１０はスキャナ部２０とプリンタ部３０とを備える。
【００１１】
プリンタ部３０は、スキャナ部２０よりも下方に配され、略直方体の筐体を有し、筐体の上面後端付近に配された後部給紙口１４２から筐体の内に被記録物を給紙する給紙部１４１、給紙部により給紙された被記録物を筐体の前面から排紙する排紙部１７０および排紙口１７４を有し、被記録物に記録を行う。排紙部１７０の延長部には排紙台１８４が設けられており、ここに記録済みの被記録物を堆積する。排紙台１８４はプリンタ部３０のフレーム１１０に対して、ヒンジを介して開閉自在に枢着されており、プリンタ部３０が休止状態のときは、縦に起こして排紙口１７４を塞ぐ蓋の役割を有している。
【００１２】
スキャナ部２０は、縦横ともそれぞれプリンタ部３０の縦横に一致、ないし近似のサイズを持つ直方体の形を成しており、プリンタ部３０に対して、スキャナ部２０が後部給紙口１４２を覆う後方位置と、後部給紙口１４２が開放される前方位置との間で摺動して移動可能なように、摺動機構２０５を介して接続されている。摺動機構２０５はプリンタ部３０に設けられた２本のレール２０１とスキャナ部２０に設けられた２本の溝２０２の噛み併せにより構成されている。
【００１３】
図３は、プリンタ部３０が休止状態にあるときの外観を示す。この場合、スキャナ部２０がプリンタ部３０上の後方位置に移動させられている。さらに排紙台１８４を折りたたんだ場合は、図３に示すように、スキャナ部２０とプリンタ部３０とが上下に重箱状に重なり、全体が略直方体の形状をなしている。これにより、プリンタ部３０が休止状態の場合には、スキャナプリンタ複合機１０の全体の大きさを小さくすることができる。また、装置の後端面を壁面に近接して設置することができる。
【００１４】
スキャナ部２０は、前方位置を越えて更に前方に摺動させることにより、レール２０１の拘束から外れて、スキャナ部２０の全体をプリンタ部３０より完全に分離することができる。図４はスキャナ部２０を外したプリンタ単体の外観を示す。排紙台１８４はプリンタ部３０の上部を覆う開閉自在の蓋としても機能する。この排紙台１８４は、プリンタ部３０の内部をメンテナンスでアクセスする場合は、取り外すことができるようになっている。この場合に、スキャナ部２０とプリンタ部３０とは使用時において不図示のコネクタで電気的に接続されて互いに情報を授受できるようにしてもよい。その場合に、スキャナ部２０とプリンタ部３０とを分離するときに、このコネクタを取り外すようにしてもよい。
【００１５】
スキャナプリンタ複合機１０において、スキャナ部２０は、後端付近に設けたヒンジ２６を軸として開閉する原稿カバー２４を有する。原稿カバー２４の下方には、上面に原稿が配される原稿台２２を有し、原稿台２２に裏向きに載せた原稿を光学的に読み取り、画像情報を生成する。
【００１６】
図５は、図３においてスキャナ部２０のカバー２４を開放した状態を示す。カバー２４は、原稿台２２上に乗せられた原稿を、ガラス製の原稿台２２に一様に密着固定し、外光を遮断し、ガラス越しに下方から行なわれる光学走査を確実にする。またこれにより、原稿台２２が傷ついたり汚れたりすることを防ぐことができると共に、スキャナ部２０を摺動する場合に、カバー２４が不用意に開くことを防ぐことができる。
【００１７】
図６は、プリンタ部３０の内部を、被記録物１００の搬送に方向に平行で、かつ垂直な平面で切断した断面の概略を示す断面図であり、図７はプリンタ部３０から、筐体およびカバーの一部を取り除いて、その内部の概略を示した斜視図である。
【００１８】
ここで、以下に本実施形態に係るプリンタ部３０の、給紙口１４２から排紙口１７４に至る被記録物１００の搬送路に係る内部構造を、図６及び図７に基づき概説する。本実施形態に係るプリンタ部３０は、インクジェット式記録方式を採用しており、給紙口１４２から挿入された被記録物１００を記録位置に給紙する給紙部１４１と、給紙された被記録物１００にインクを吐出して記録を行う記録部１６０と、記録部１６０から余分に吐出されたインクを廃液として回収する廃液部１３５と、記録が行われた被記録物１００をプリンタ部３０の外部に排紙する排紙部１７０とを備える。
【００１９】
給紙部１４１は、給紙口１４２から記録部１６０へ被記録物１００を案内する給紙ガイド１５０と、給紙口１４２の近傍に配された一対の給紙駆動ローラ１４４及び給紙従動ローラ１４６とを有する。給紙ガイド１５０は、給紙口１４２から記録ヘッド５１の下方に向けて湾曲する板状の部材であって、フレーム１１０に支持される。給紙駆動ローラ１４４は、回転自在にフレーム１１０に支持され、回転軸に垂直な断面で略Ｄ字形状を有し、図示しないモータからの駆動力により回転軸まわりに回転する。給紙従動ローラ１４６は、給紙駆動ローラ１４４との間に被記録物１００を挟む位置に配され、回転自在にフレーム１１０に支持される。
【００２０】
給紙部１４１より記録部１６０に至る中間部には、搬送ローラ１５１および１５２が配されており、給紙部１４１から給紙された被記録物１００をプラテン１６１の上に搬送する。
【００２１】
記録部１６０は、キャリッジ５０と、フレーム１１０に支持されてキャリッジ５０を貫通するガイドシャフト５２と、キャリッジ５０に把持された無端のタイミングベルト５４と、タイミングベルト５４を回転駆動するモータ５５とを有する。キャリッジ５０には、インクを貯蔵しインクを記録ヘッド５１に供給する一個ないし複数個のインクカートリッジ５８と被記録物１００へインクを吐出する記録ヘッド５１が搭載されている。記録部１６０は、さらに、記録ヘッド５１においてインクが吐出される方向に対向して配されるプラテン１６１を有する。プラテン１６１は、ガイドシャフト５２と平行に延伸しており、フレーム１１０に回転可能に支持される。プラテン１６１は、給紙駆動ローラ１４４を駆動する不図示のモータにより給紙駆動ローラ１４４に同期して駆動される。
【００２２】
排紙部１７０は、被記録物１００を記録ヘッド５１に対向する位置から排紙口１７４に案内する一対の板状の排紙ガイド下１８０及び排紙ガイド上１８２と、排紙ガイド下１８０側に配された排紙駆動ローラ１７１と、排紙駆動ローラ１７１に対向して配された排紙従動ローラ１７２とを有する。排紙駆動ローラ１７１は、回転自在にフレーム１１０に支持される。さらに、排紙駆動ローラ１７１は、給紙駆動ローラ１４４を駆動する不図示のモータにより給紙駆動ローラ１４４に同期して駆動される。排紙従動ローラ１７２は、排紙駆動ローラ１７１との間に被記録物１００を挟む位置に配され、回転自在にフレーム１１０に支持される。
【００２３】
以上の構成において、プリンタ部３０は以下の通りに被記録物１００上に記録を行う。まず、給紙口１４２から被記録物１００が挿入されると、給紙駆動ローラ１４４及び給紙従動ローラ１４６が被記録物１００を挟む。この状態で給紙駆動ローラ１４４が回転駆動されることにより給紙従動ローラ１４６が給紙駆動ローラ１４４に連れ回る。これにより、給紙駆動ローラ１４４及び給紙口１４２は、被記録物１００を給紙ガイド１５０に沿って図中矢印Ｂの方向へ給紙する。搬送ローラ１５１および１５２は、給紙部１４１から給紙された被記録物１００をプラテン１６１の上に搬送する。
【００２４】
被記録物１００が記録ヘッド５１とプラテン１６１との間に給紙されると、モータ５５がタイミングベルト５４を回転駆動することにより、タイミングベルト５４がキャリッジ５０を水平で、かつ搬送方向に直交する方向に沿って往復移動する。これにより記録ヘッド５１は被記録物１００上を往復移動しつつ、被記録物１００へインクを吐出することにより、被記録物１００に記録を行う。キャリッジ５０が被記録物１００に対して一往復した後に、搬送ローラ１５１および１５２が被記録物１００をさらに微少量だけ移動させ、ついでキャリッジ５０の往復運動が繰り返される。このようにして記録ヘッド５１は、被記録物１００の一面にわたってインクを吐出して記録を行うことができる。
【００２５】
搬送ローラ１５１および１５２が更に被記録物１００を移動させることにより、被記録物１００は排紙駆動ローラ１７１及び排紙従動ローラ１７２の間隙に到達する。排紙駆動ローラ１７１及び排紙従動ローラ１７２は、この間隙において被記録物１００を挟む。この状態で排紙駆動ローラ１７１が回転駆動されることにより、排紙従動ローラ１７２が排紙駆動ローラ１７１に連れ回る。これにより、排紙駆動ローラ１７１及び排紙従動ローラ１７２は、被記録物１００を排紙ガイド下１８０及び排紙ガイド上１８２の間に搬送して、排紙口１７４からプリンタ部３０の外へ排出する。
【００２６】
プリンタ部３０が待機状態の場合には、記録ヘッド５１は、ガイドシャフト５２に案内されてプラテン１６１の長手方向の、図７において右端外側にある待機位置に退避する。記録ヘッド５１がこの位置に来た状態では、廃液部１３５が記録ヘッド５１の下面を覆う。これにより、記録ヘッド５１が使用されない場合にインクの溶媒が蒸発してインクが記録ヘッド５１に目詰まりすることを防ぐ。また、プリンタ部３０が使用状態にあって、記録ヘッド５１のクリーニングを行なう場合またはフラッシングを行なう場合に、記録ヘッド５１は、プラテン１６１の長手方向の外側の待機位置に移動する。
【００２７】
上記スキャナプリンタ複合機１０において、プリンタ部３０は、その内部に、前面給紙を可能にする第二の被記録物搬送路を追加することができる。図６に示された点線は、その場合に追加される被記録物搬送路の一例を概略示した。この媒体搬送路は、同図上右端の折り返し点における屈曲が急峻であるが、比較的薄手の被記録物に関しては問題なく動作することができる。前面給紙口を使う場合は、後部の給紙口１４２を使わないので、スキャナ部２０を前方に移動させないままで、プリンタ部３０が使用することができる。一方、ハガキ又はＬ版印刷など、厚手の被記録物に記録を行う場合に、給紙口１４２を用いることができる。この形態によれば、スキャナ部２０を移動する機会を減らし、使いやすさを更に向上することができる。当該搬送路の具体的構成に関しては、既に公知の方法例が数多くあるので、ここでの説明は省略する。
【００２８】
以上、本発明を実施の形態を用いて説明したが、本発明の技術的範囲は上記実施の形態に記載の範囲には限定されない。例えばプリンタ部３０は、インクジェット式記録装置に限られず、給紙口及び排紙口を前後にもつ複写機、ファクシミリ、レーザビームプリンタ、磁気潜像あるいは静電潜像による転写ロール印刷装置など、各種の方式の記録装置に摘用できる。
【００２９】
またプリンタ部３０の上部に配置するスキャナ部２０は、フラットベッド式スキャナに限られず、他の方式のスキャナであってもよい。プリンタ部３０の給紙口１４２に見合う幅を前方に摺動させ、給紙口１４２を開放させることにより、プリンタ部３０の給紙機能を損なうことなく、プリンタ部３０の上部の空きスペースを利用して配置できるものであればよい。また、摺動機構２０５に関しては、本実施形態に示すような摺動機構２０５に限定するものではなく、ローラ等を用いてもよい。
【００３０】
図８は、本実施形態のスキャナプリンタ複合機１０において、プリンタ部３０に対してスキャナ部２０が図１よりも前方まで摺動している状態を示す。図８に示すように、後部給紙口１４２が開放される位置から更に前方までスキャナ部２０が摺動できることにより、以下の効果がある。まず、後部給紙口１４２から給紙された被記録物１００がプリンタ部３０の内部で詰まった場合に、スキャナ部２０を図８に示す位置まで摺動することにより、プリンタ部３０の内部まで、ユーザが手を入れて被記録物１００を取り除くことができる。また、インクカートリッジ５８を交換する場合の当該インクカートリッジ５８の位置の上面を開放しておくことにより、インクカートリッジ５８を交換する場合に、図８に示す位置までスキャナ部２０を摺動して、インクカートリッジ５８を露出させてインクカートリッジ５８を容易に交換することができる。さらに、記録ヘッド５１とプラテン１６１とのギャップを調節するレバー、及び、ＣＤＲへ記録する場合に排紙トレイを退避させるレバーを図８に示す位置において露出するように配することにより、装置を小型化することができる。プリンタ部３０からスキャナ部２０を取り外す場合に、プリンタ部３０とスキャナ部２０とを電気的に繋いでいるコネクタを、図８に示す状態において着脱することができる。また、ＣＤＲへ記録する場合にＣＤＲのガイドを装置前方側に引き出す場合に、スキャナ部２０を図８の位置に移動することにより、ユーザがプリンタ部３０の内側に手を入れて、当該ガイドを押し出して装置前方に移動させることができる。また、図８に示す状態において出現する、プリンタ部３０の内部において使用されていない空間に、予備のインクカートリッジ５８を保持しておくことができる。
【００３１】
以上のように、上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３２】
【図１】スキャナプリンタ複合機１０の前方斜視図である。
【図２】スキャナプリンタ複合機１０の後方斜視図である。
【図３】スキャナ部２０を重箱状に重ねたときの外観図である。
【図４】プリンタ部３０単体の外観図である。
【図５】スキャナ部２０のカバー２４を開放した状態の外観図である。
【図６】プリンタ部３０の内部の搬送路を示す断面図である。
【図７】プリンタ部３０の内部を示す斜視図である。
【図８】スキャナプリンタ複合機１０の前方斜視図である。
【符号の説明】
【００３３】
１０  スキャナプリンタ複合機、２０  スキャナ部、２２  原稿台、２４  カバー、２６  ヒンジ、３０  プリンタ部、５０  キャリッジ、５１  記録ヘッド、５２  ガイドシャフト、５４  タイミングベルト、５５  モータ、５８  インクカートリッジ、１００  被記録物、１１０  フレーム、１３５  廃液部、１４１  給紙部、１４２  給紙口、１４４  給紙駆動ローラ、１４６  給紙従動ローラ、１５０  給紙ガイド、１５１  搬送ローラ、１５２  搬送ローラ、１６０  記録部、１６１  プラテン、１７０  排紙部、１７１  排紙駆動ローラ、１７２  排紙従動ローラ、１７４  排紙口、１８０  排紙ガイド下、１８２  排紙ガイド上、１８４  排紙台、１８６  蓋、２０１  レール、２０２  溝、２０５  摺動機構
【図１】
2006248062.tif 000003
【図２】
2006248062.tif 000004
【図３】
2006248062.tif 000005
【図４】
2006248062.tif 000006
【図５】
2006248062.tif 000007
【図６】
2006248062.tif 000008
【図７】
2006248062.tif 000009
【図８】
2006248062.tif 000010